(57)【要約】【課題】情報の呈示を受けている使用者の携帯電話に対して着信があった場合に、情報の呈示状態を適切に変化させることができる情報呈示装置を提供する。【解決手段】情報呈示部２は、使用者に対してコンテンツを呈示する。出力制御部３は、コンテンツの呈示状態を制御する。ここで、出力制御部３は、携帯電話機１への着信があった後、携帯電話機１への着信に基づく情報を、情報呈示部２から使用者に対して呈示する。例えば、情報呈示部２は、携帯電話１による着信音あるいは通話音を、情報呈示部２から使用者に対して呈示する。【選択図】図１
2008167373.tif 000002
【特許請求の範囲】
【請求項１】
携帯電話機と、情報呈示部と、出力制御部とを備えており、
前記情報呈示部は、使用者に対してコンテンツを呈示する構成となっており、
前記出力制御部は、前記情報呈示部による前記コンテンツの呈示状態を制御する構成となっており、
さらに、前記出力制御部は、前記携帯電話機への着信後、前記携帯電話機への着信に基づく情報を、前記情報呈示部によって前記使用者に対して呈示させる構成となっている
ことを特徴とする情報呈示装置。
【請求項２】
前記着信に基づく情報とは、前記着信信号に基づく着信音又は前記携帯電話における通話音であり、
前記情報呈示部は、音声呈示部を備えており、
前記音声呈示部は、通常時は、前記コンテンツに含まれる音声を呈示する構成となっており、
前記出力制御部は、前記携帯電話機への着信後、前記音声呈示部から呈示される前記音声の音量を低下させる構成となっており、
さらに、前記出力制御部は、前記着信信号に基づく着信音又は前記携帯電話における通話音を、前記音声呈示部によって使用者に呈示させる構成となっている
請求項１に記載の情報呈示装置。
【請求項３】
さらにコンテンツ再生部を備えており、
前記コンテンツ再生部は、記録されたコンテンツを再生して、前記情報呈示部に送り、この情報呈示部によりコンテンツを使用者に呈示する構成となっており、
前記出力制御部は、前記携帯電話機への着信後、前記コンテンツ再生部におけるコンテンツの再生を停止させる構成となっている
請求項１又は２に記載の情報呈示装置。
【請求項４】
前記出力制御部は、前記携帯電話機からの切断信号を受け取った後、前記コンテンツ再生部におけるコンテンツの再生を再開する構成となっている
請求項３に記載の情報呈示装置。
【請求項５】
前記着信に基づく情報とは、前記着信信号に基づく着信音又は前記携帯電話における通話音であり、
前記情報呈示部は、音声呈示部を備えており、前記音声呈示部は、右耳用呈示部と左耳用呈示部とを備えており、
前記出力制御部は、前記携帯電話機への着信後、前記右耳用呈示部及び左耳用呈示部の一方から、前記着信信号に基づく着信音又は前記携帯電話における通話音を前記使用者に呈示し、前記右耳用呈示部及び左耳用呈示部の他方から、前記コンテンツに基づく音声を呈示する構成となっている
請求項１に記載の情報呈示装置。
【請求項６】
前記着信に基づく情報とは、前記コンテンツに含まれる文字情報であり、
前記出力制御部は、前記携帯電話機への着信後、前記コンテンツに含まれる文字情報を前記情報呈示部から使用者に呈示する構成となっている
請求項１に記載の情報呈示装置。
【請求項７】
前記着信に基づく情報とは、前記コンテンツに含まれる音声情報から変換された文字情報であり、
前記出力制御部は、前記携帯電話機への着信後、前記コンテンツに含まれる音声情報から変換された文字情報を前記情報呈示部から使用者に呈示する構成となっている
請求項１に記載の情報呈示装置。
【請求項８】
前記着信に基づく情報とは、前記携帯電話機での通話から変換された文字情報であり、
前記出力制御部は、前記携帯電話機への着信後、前記携帯電話機での通話から変換された文字情報を前記情報呈示部から使用者に呈示する構成となっている
請求項１に記載の情報呈示装置。
【請求項９】
前記情報呈示部は、通信回線を介してストリーミング配信されたコンテンツを使用者に呈示する構成となっており、
前記出力制御部は、前記携帯電話機への着信後、前記配信されたコンテンツを記録する構成となっている
請求項１に記載の情報呈示装置。
【請求項１０】
前記出力制御部は、前記携帯電話機からの切断信号を受け取った後、前記記録されたコンテンツを再生する構成となっている
請求項９に記載の情報呈示装置。
【請求項１１】
前記出力制御部は、前記携帯電話機からの切断信号を受け取った後、前記記録されたコンテンツを再生するかどうかを確認するための確認画面又は確認音声を前記情報呈示部から前記使用者に呈示する構成となっている
請求項９に記載の情報呈示装置。
【請求項１２】
前記出力制御部は、前記記録されたコンテンツが、予め指定したジャンルに属する場合には、前記携帯電話機からの切断信号を受け取った後、前記記録されたコンテンツを自動的に再生する構成となっている
請求項９に記載の情報呈示装置。
【請求項１３】
前記音声呈示部から呈示される前記音声の音量の低下を徐々に行う構成となっている
請求項２に記載の情報呈示装置。
【請求項１４】
前記着信信号に基づく着信音又は前記携帯電話における通話音を、その音量を徐々に増加させながら呈示する構成となっている
請求項２に記載の情報呈示装置。
【請求項１５】
前記出力制御部は、前記携帯電話機への着信後、前記携帯電話機での通話における音声を記録する構成となっている
請求項１に記載の情報呈示装置。
【請求項１６】
前記情報呈示部は、頭部に装着して使用されるものであることを特徴とする、請求項１〜１５のいずれか１項に記載の情報呈示装置。
【発明の詳細な説明】
【技術分野】
【０００１】
本発明は、情報呈示装置に関し、特に、携帯電話を使用する使用者へのコンテンツの呈示状態を制御する装置に関するものである。
【背景技術】
【０００２】
下記特許文献に示されるように、従来から、ヘッドマウントディスプレイ（ＨＭＤ）、眼鏡型ディスプレイ、網膜走査型ディスプレイ（ＲＳＤ）といった情報呈示装置が提案されている。
【０００３】
その他、携帯型ゲーム機、携帯型ＤＶＤプレーヤーなど、各種の携帯型ディスプレイが存在する。
【０００４】
一方で、使用者は、これらの携帯型ディスプレイを使用中に、携帯電話を所持し、この携帯電話を「待ち受け状態」にしていることも多い。
【０００５】
しかしながら、携帯型ディスプレイに集中している使用者の携帯電話に着信があったときには、
・着信に気づかないため応答の機会を逃す
・着信に気づいたとしても、応答するためには、手動でディスプレイの状態（例えば音声の出力状態など）を調整しなければならない
等の不都合がある。すなわち、携帯電話とディスプレイとの併用を考慮に入れたとき、従来のディスプレイには、改善の余地が残されている。
【特許文献１】特開２００４−１８０１６２号公報
【特許文献２】特開平１１−７５１４０号公報
【特許文献３】特開２００５−８６３２８号公報
【発明の開示】
【発明が解決しようとする課題】
【０００６】
本発明は、前記した従来の問題を解決することが可能な手段を提供しようとするものである。本発明の一つの目的は、情報の呈示を受けている使用者の携帯電話に対して着信があった場合に、情報の呈示状態を適切に変化させることができる情報呈示装置を提供することである。
【課題を解決するための手段】
【０００７】
請求項１に記載の情報呈示装置は、携帯電話機と、情報呈示部と、出力制御部とを備えている。前記情報呈示部は、使用者に対してコンテンツを呈示する構成となっている。前記出力制御部は、前記情報呈示部による前記コンテンツの呈示状態を制御する構成となっている。さらに、前記出力制御部は、前記携帯電話機への着信後、前記携帯電話機への着信に基づく情報を、前記情報呈示部によって前記使用者に対して呈示させる構成となっている。
【０００８】
請求項２に記載の情報呈示装置では、請求項１の装置において、前記着信に基づく情報が、前記着信信号に基づく着信音又は前記携帯電話における通話音となっている。また、前記情報呈示部は、音声呈示部を備えている。前記音声呈示部は、通常時は、前記コンテンツに含まれる音声を呈示する構成となっている。前記出力制御部は、前記携帯電話機への着信後、前記音声呈示部から呈示される前記音声の音量を低下させる構成となっている。さらに、前記出力制御部は、前記着信信号に基づく着信音又は前記携帯電話における通話音を、前記音声呈示部によって使用者に呈示させる構成となっている。
【０００９】
請求項３に記載の情報呈示装置は、請求項１又は２に記載の装置において、さらにコンテンツ再生部を備えている。前記コンテンツ再生部は、記録されたコンテンツを再生して、前記情報呈示部に送り、この情報呈示部によりコンテンツを使用者に呈示する構成となっている。前記出力制御部は、前記携帯電話機への着信後、前記コンテンツ再生部におけるコンテンツの再生を停止させる構成となっている。
【００１０】
請求項４に記載の情報呈示装置は、請求項３に記載の装置において、前記出力制御部が、前記携帯電話機からの切断信号を受け取った後、前記コンテンツ再生部におけるコンテンツの再生を再開する構成となっているものである。
【００１１】
請求項５に記載の情報呈示装置では、請求項１に記載の装置において、前記着信に基づく情報が、前記着信信号に基づく着信音又は前記携帯電話における通話音となっている。また、前記情報呈示部は、音声呈示部を備えている。前記音声呈示部は、右耳用呈示部と左耳用呈示部とを備えている。前記出力制御部は、前記携帯電話機への着信後、前記右耳用呈示部及び左耳用呈示部の一方から、前記着信信号に基づく着信音又は前記携帯電話における通話音を前記使用者に呈示し、前記右耳用呈示部及び左耳用呈示部の他方から、前記コンテンツに基づく音声を呈示する構成となっている。
【００１２】
請求項６に記載の情報呈示装置では、請求項１に記載の装置において、前記着信に基づく情報が、前記コンテンツに含まれる文字情報となっている。前記出力制御部は、前記携帯電話機への着信後、前記コンテンツに含まれる文字情報を前記情報呈示部から使用者に呈示する構成となっている。
【００１３】
請求項７に記載の情報呈示装置では、請求項１に記載の装置において、前記着信に基づく情報が、前記コンテンツに含まれる音声情報から変換された文字情報となっている。前記出力制御部は、前記携帯電話機への着信後、前記コンテンツに含まれる音声情報から変換された文字情報を前記情報呈示部から使用者に呈示する構成となっている。
【００１４】
請求項８に記載の情報呈示装置では、請求項１に記載の装置において、前記着信に基づく情報が、前記携帯電話機での通話から変換された文字情報となっている。前記出力制御部は、前記携帯電話機への着信後、前記携帯電話機での通話から変換された文字情報を前記情報呈示部から使用者に呈示する構成となっている。
【００１５】
請求項９に記載の情報呈示装置では、請求項１に記載の装置において、前記情報呈示部が、通信回線を介してストリーミング配信されたコンテンツを使用者に呈示する構成となっている。ここで、出力制御部は、前記携帯電話機への着信後、前記配信されたコンテンツを記録する構成となっている。
【００１６】
請求項１０に記載の情報呈示装置では、請求項９に記載の装置において、前記出力制御部が、前記携帯電話機からの切断信号を受け取った後、前記記録されたコンテンツを再生する構成となっているものである。
【００１７】
請求項１１に記載の情報呈示装置では、請求項９に記載の装置において、前記出力制御部が、前記携帯電話機からの切断信号を受け取った後、前記記録されたコンテンツを再生するかどうかを確認するための確認画面又は確認音声を前記情報呈示部から前記使用者に呈示する構成となっているものである。
【００１８】
請求項１２に記載の情報呈示装置では、請求項９に記載の装置において、前記出力制御部が、「前記記録されたコンテンツが、予め指定したジャンルに属する場合」には、前記携帯電話機からの切断信号を受け取った後、前記記録されたコンテンツを自動的に再生する構成となっているものである。
【００１９】
請求項１３に記載の情報呈示装置では、請求項２に記載の装置において、前記音声呈示部から呈示される前記音声の音量の低下を徐々に行う構成となっているものである。
【００２０】
請求項１４に記載の情報呈示装置では、請求項２に記載の装置において、前記着信信号に基づく着信音又は前記携帯電話における通話音を、その音量を徐々に増加させながら呈示する構成となっているものである。
【００２１】
請求項１５に記載の情報呈示装置では、請求項１に記載の装置において、前記出力制御部が、前記携帯電話機への着信後、前記携帯電話機での通話における音声を記録する構成となっているものである。
【００２２】
請求項１６に記載の情報呈示装置は、請求項１〜１５のいずれか１項に記載の装置において、前記情報呈示部が、頭部に装着して使用されるものであることを特徴としている。
【００２３】
情報呈示部が、頭部装着型（例えばヘッドマウントディスプレイ（ＨＭＤ））である場合、使用者の耳は、ヘッドフォン型のスピーカで塞がれるため、外部の音が聞こえない状態となる。すると、携帯電話の着信音が聞こえないとか、携帯電話の通話音を聞くのに不便であるという問題を生じる。これに対して、この発明によれば、携帯電話への着信を認知し易く、情報呈示部を頭部装着したまま着呼を受けたり、発呼者との通話（応答）を行うことが容易となるという効果がある。
【発明の効果】
【００２４】
本発明によれば、出力制御部が、情報呈示部によるコンテンツの呈示状態を制御できる。さらに、出力制御部により、携帯電話機への着信後に、携帯電話機への着信に基づく情報を、情報呈示部によって使用者に対して呈示させることができる。したがって、本発明によれば、情報の呈示を受けている使用者の携帯電話に対して着信があった場合に、情報の呈示状態を適切に変化させることができる情報呈示装置を提供することができる。
【発明を実施するための最良の形態】
【００２５】
（実施形態の構成）
本発明の一実施形態に係る情報呈示装置を、添付の図面に基づいて説明する。
【００２６】
まず、この装置の全体的な構成を、図１に示すブロック図に基づいて説明する。この情報呈示装置は、携帯電話機１と、情報呈示部２と、出力制御部３と、コンテンツ再生部４と、文字情報変換部５と、ジャンル判定部６とを備えている。これらの機能ブロックどうしは、適宜な通信路及びインタフェースを介して接続されており、データのやり取りができるようになっている。
【００２７】
携帯電話機１は、無線を介して基地局と通信することにより、音声の送受信ができる端末である。ただし、携帯電話機１としては、音声通話機能を有しない、データ送受信専用のものであってもよい。また、携帯電話機１としては、変調方式や搬送波帯域を問わず、各種のものを用いることができ、さらには、ＰＨＳ端末であってもよい。
【００２８】
携帯電話機１は、着信信号を出力制御部３に提供できる構成となっている。着信信号とは、携帯電話への着信があったことを知らせるための情報ないしデータである。一般に、携帯電話機は、着信判定を行うことができるようになっているので、携帯電話機１によって着信があったと判定されたときに、出力制御部３が着信信号を取得する構成とすることができる。
【００２９】
携帯電話機１は、ＣＰＵ１１と、メモリ１２と、受話器１３と、送話器１４と、通信部１５と、近距離無線通信モジュール１６とを備えている。
【００３０】
通信部１５は、基地局（図示せず）との通信を行う機能を有しているものである。近距離無線通信モジュール１６は、他の機能ブロックと通信するためのものである。具体的には、近距離無線通信モジュール１６は、例えばＵＷＢやBluetooth（商標）などの通信プロトコルを用いて、ＨＭＤ本体９（後述）と通信することができるようになっている。
【００３１】
また、携帯電話１は、着呼があったときに着信判定を行い、着信信号を生成して、出力制御部３に送る機能を備えている。携帯電話機１における構成は基本的に従来のものと同様でよいので、これ以上詳しい説明は省略する。
【００３２】
情報呈示部２は、使用者に対してコンテンツを呈示する構成となっている。本実施形態の情報呈示部２は、映像呈示部２１と、音声呈示部２２とを備えている。
【００３３】
音声呈示部２２は、右耳用呈示部２２１と、左耳用呈示部２２２とを備えている。これらの右耳用呈示部２２１と、左耳用呈示部２２２とは、いずれも、通常時は、コンテンツに含まれる音声を呈示する構成となっている。右耳用呈示部２２１及び左耳用呈示部２２２を備えた音声呈示部２２は、例えば、両耳用のヘッドホンやイヤホンにより構成できる。右耳用呈示部２２１及び左耳用呈示部２２２としては、要するに、各耳に音声を呈示できるものであればよい。
【００３４】
映像呈示部２１としては、本実施形態では、ＨＭＤに用いられる網膜走査型ディスプレイ（ＲＳＤ）タイプのものが用いられている。ただし、映像呈示部２１としては、ＲＳＤに代えて、ＨＭＤ用の液晶表示デバイスを用いたものでもよいし、あるいは、携帯型ゲーム機や携帯型ＤＶＤプレーヤーなどの各種の携帯型ディスプレイであってもよい。さらには、据え置き型ディスプレイとすることも可能である。
【００３５】
映像呈示部２１としてのＲＳＤのさらに詳しい構成を、図２に基づいて説明する。この映像情報呈示部２１は、映像信号処理部２１１、垂直操作制御回路２１２、垂直走査ミラー２１３、水平走査制御回路２１４、水平走査ミラー２１５、ＲＧＢのレーザドライバ群２１６、ＲＧＢの各レーザ２１７、波面曲率駆動回路２１８、波面曲率変調器２１９を備えている。この構成の映像提示部２１によれば、眼球８（図３参照）の網膜に届く光束によって像を生成することができる。すなわち、これによって、使用者に映像を呈示することができる。
【００３６】
本実施形態の映像呈示部２１としては、従来と同様のＲＳＤを用いることができるので、これ以上詳細な説明は省略する。
【００３７】
出力制御部３は、携帯電話機１への着信後、携帯電話機１への着信に基づく情報を、情報呈示部２によって使用者に対して呈示させる構成となっている。出力制御部３は、本実施形態では、ジャンル判定部６により判定されたジャンルに基づいて、コンテンツの呈示状態を制御する構成となっている。出力制御部３による制御の詳細は後述する。
【００３８】
コンテンツ再生部４は、記録されたコンテンツを再生して、情報呈示部２に送り、この情報呈示部２によりコンテンツを使用者に呈示する構成となっている。本実施形態のコンテンツ再生部４は、ハードディスクやＤＶＤやＩＣメモリなどの適宜な記録媒体で構成されたコンテンツ記録部４１を備えており、このコンテンツ記録部４１に記録されたコンテンツを再生できる構成となっている。
【００３９】
文字情報変換部５及びジャンル判定部６は、具体的には、後述するＨＭＤ本体９の制御部９１によって構成されるものである。したがって、本実施形態の文字情報変換部５やジャンル判定部６の実体は、いずれも、ＨＭＤ本体９内のＣＰＵやその上で動くコンピュータソフトウエアであるが、機能ブロックとしては、説明の便宜上、別のブロックとして説明している。文字情報変換部５及びジャンル判定部６の詳しい動作は、実施形態の動作として後述する。
【００４０】
前記した機能ブロックとしての出力制御部３、コンテンツ再生部４，文字情報変換部５及びジャンル判定部６の機能は、例えば、図３に示すＨＭＤ本体９により実現することができる。ＨＭＤ本体９の構成例を、図３に基づいて以下に説明する。なお、ＨＭＤ本体９は、映像呈示部２１（例えばＲＳＤまたは液晶表示デバイスを用いたもの）と組み合わされて一つのＨＭＤを構成することができるものである。
【００４１】
このＨＭＤ本体９は、制御部９１と、電源部９２と、入力部９３と、音声処理部９４と、近距離無線通信部９５と、映像信号入力部９６とを備えている。
【００４２】
制御部９１は、ＲＡＭやＲＯＭに記録されたデータやプログラムに従って、ＣＰＵにより、必要な処理や制御を行えるようになっている。本実施形態では、この制御部９１が、出力制御部３の機能を発揮するようになっている。ただし、一つの機能ブロックが他の機能ブロックの機能を兼ねることは可能である。また、出力制御部として独立したハードウエア構成を用いることも可能である。
【００４３】
音声処理部９４は、使用者の声をマイクで集音し、CODECでコード化して、制御部９１に送ることができる構成となっている。また、音声処理部９４は、コンテンツの音声や通話音や着信音のデータをCODECでデコードし、スピーカ制御回路を介して、前記した右耳用呈示部２２１及び左耳用呈示部２２２に制御信号を送るようになっている。これにより、必要な音を使用者に呈示できるようになっている。
【００４４】
近距離無線通信部９５は、携帯電話１と適宜のプロトコルを用いて無線により通信するための部分である。
【００４５】
映像信号入力部９６は、コンテンツ再生部４の一部を構成するものである。映像信号入力部９６は、コンテンツ記録部４１（図１参照）から送られた映像信号の入力を、映像信号入力モジュールにより受け付けることができる。また、映像信号入力部９６は、受け付けた映像信号を、映像信号入力制御回路により、制御部９１や映像呈示部２１などの適宜なブロックに送ることができる。また、映像信号入力部９６は、図示しない通信路によりストリーミング配信された映像信号の入力を受け付けることもできる。この場合も、入力された映像信号は、制御部９１や映像呈示部２１などの適宜なブロックに送られる。
【００４６】
（実施形態の動作）
つぎに、前記のように構成された本実施形態の装置の動作について、図１のブロック図と図４に示すフローチャートとを主に参照しながら説明する。
【００４７】
（図４のステップＳＡ−１）
まず、使用者は、適宜な方法を用いて、情報呈示部２にコンテンツを送り、情報呈示部２によってコンテンツの呈示を受ける。例えば、使用者は、コンテンツ再生部４を起動して、コンテンツ記録部４１に記録されているコンテンツを再生する。再生されたコンテンツは、情報呈示部２に送られる。これにより、使用者は、情報呈示部２の映像呈示部２１によって映像情報（例えば動画）の呈示を受け、さらに、音声呈示部２２によって音声情報の呈示を受けることができる。ただし、情報呈示部２に送られるコンテンツとしては、コンテンツ記録部４１に記録されたものでなくてもよい。例えば、ＤＶＤディスクや半導体メモリにデータとして格納されているコンテンツや、あるいは、適宜な通信路を介してストリーミングで送られるコンテンツであってもよい。ここで、ストリーミングでコンテンツを送る通信路としては、従来から知られているように、携帯電話用の通信回線、無線ＬＡＮやＵＷＢなどの近距離用通信回線、放送網など、各種のものを利用可能である。また、コンテンツのデータ形式としては、デジタルデータでもアナログデータでもよい。
【００４８】
その後、携帯電話機１に着信（すなわち呼の受信）があると、本実施形態の装置は、次のような動作を行う。まず、携帯電話機１は、着信判定を行い、着信があったと判定されたときは、着信信号を図１の出力制御部３に送る。具体的には、携帯電話１の近距離無線通信モジュール１６は、ＨＭＤ本体９の近距離無線通信部９５（図３参照）に着信信号を送る。
【００４９】
（図４のステップＳＡ−２）
ついで、ジャンル判定部６は、情報呈示部２において呈示されている情報のジャンルを判定する。この判定は、例えば、コンテンツの属性として記録又は提供されているＥＰＧ（Electric Program Guide）情報に基づいて行うことができる。ＥＰＧ情報は、コンテンツと共に予め記録されていてもよいし、ストリーミング情報と共に送られても良い。ＥＰＧ情報はジャンル情報（例えば「スポーツ」や「ニュース」など）を一般に備えているので、ジャンル判定部６は、そのジャンル情報を取得して、出力制御部３に送る。
【００５０】
（図４のステップＳＡ−３及びＳＡ−４）
出力制御部３は、着信信号及びジャンル情報に基づいて、次のように「着信に基づく情報の呈示」及び「コンテンツの呈示状態の制御」という動作を行う。以下において、動作のパターンを、実施例として説明する。ただし、以下の動作はあくまで例示である。
【００５１】
（実施例１…ジャンルが音楽の場合）
呈示されるコンテンツのジャンルが音楽の場合、出力制御部３は、携帯電話機１への着信後、携帯電話機１への着信に基づく情報を、情報呈示部２から使用者に対して呈示する。ここで、着信に基づく情報とは、例えば着信音や、相手方からの通話音である。また、出力制御部３は、コンテンツの呈示状態を制御する。
【００５２】
この実施例におけるこれらの動作のタイミングチャートを図５に示す。この例では、着信信号を受け取ると、コンテンツにおける音声の音量（すなわち音声呈示部２２から呈示される音量）を、フェード時間ｔｆ１（図５参照）内において、徐々に低下させる。ただし、ジャンルが音楽の場合、音量を小さくするものの零にはしない設定となっている。これは、音楽の場合、小さい音量であれば、通話の支障になりにくいためである。もちろん、設定により、音量を零にすることも可能である。
【００５３】
一方、この例では、着信信号を受け取ると、携帯電話からの通話音量を、フェード時間ｔｆ１内において、徐々に上昇させる。
【００５４】
その後、携帯電話１における通話終了スイッチが押されると、出力制御部３は、通話終了の信号（切断信号）を受け取る。すると、出力制御部３は、コンテンツにおける音声の音量（すなわち音声呈示部２２から呈示される音量）を、フェード時間ｔｆ２（図５参照）内において、徐々に上昇させる。これにより、コンテンツにおける音声の音量を元の状態に戻すことができる。
【００５５】
一方、この例では、切断信号を受け取ると、携帯電話からの通話音量を、フェード時間ｔｆ２内において、徐々に低下させる。通話終了後は、一般に、トーン音が携帯電話から送られるので、例えばこのトーン音の音量を徐々に低下させる。
【００５６】
これにより、本実施形態では、携帯電話機１への着信があると、コンテンツからの音声と携帯電話からの通話音声とを自然に切り替え、コンテンツからの音声に影響されずに、使用者は通話を行うことができる。さらに、通話終了後には、携帯電話１からの通話音からコンテンツからの音声に自然に切り替わる。これにより、使用者は、コンテンツからの情報を引き続き受け取ることができる。
【００５７】
（実施例２…ジャンルがニュースの場合）
つぎに、コンテンツのジャンルがニュースの場合の動作例を、実施例２として説明する。前記実施例１では、コンテンツにおける音声の音量を低下させるものの零にはしていない。これに対して実施例２では、コンテンツのおける音声の音量をほぼ零にする。ニュースの場合は、単調な音声を主とした情報であるため、通話音と紛らわしく、通話の支障になりやすいからである。この実施例２のように動作させることにより、携帯電話１による通話を円滑に行うことが可能になる。
【００５８】
実施例２における他の動作は実施例１と実質的に同様でよいので、これ以上詳細な説明は省略する。
【００５９】
（実施例３…ジャンルが映画の場合）
つぎに、コンテンツのジャンルが映画の場合の動作例を、実施例３として説明する。また、この実施例では、ストリーミング配信により映画が使用者に呈示されているものとする。
【００６０】
前記した実施例１及び２では、コンテンツにおける音声の音量を低下させている。これに対して実施例３では、音声の音量を低下させることに加えて、ストリーミングで配信されたコンテンツを、コンテンツ記録部４１に一旦記録する。一方、通話音声については、実施例１及び２と同様の方法で、使用者に呈示される。
【００６１】
使用者は、記録されたコンテンツ（映画）を、通話の終了後に再生して視聴することができる。もちろん、録画を制約されたストリーミング配信の場合には、この方法は用いることができない。再生は、携帯電話機１からの切断信号（終了信号）を出力制御部３が受け取った後、自動的に開始しても良い。あるいは、記録されたコンテンツを再生するかどうかを確認するための確認画面又は確認音声を情報呈示部２から使用者に呈示し、使用者からの入力を待って再生を開始することも可能である。さらに、コンテンツのジャンルに応じて、自動的に再生するコンテンツと、操作者の入力を待って再生するコンテンツを区別して扱っても良い。つまり、出力制御部２は、記録されたコンテンツが、予め指定したジャンルに属する場合には、携帯電話機１からの切断信号を受け取った後、記録されたコンテンツを自動的に再生する構成とすることができる。
【００６２】
実施例３における他の動作は実施例１と実質的に同様でよいので、これ以上詳細な説明は省略する。
【００６３】
（変形例１…電界強度あるいは電話音量を用いた着信検知の例）
前記した実施例では、携帯電話機１での着信信号により、携帯電話への着信を検知している。しかしながら、着信の判定としては、これに限るものではない。例えば、携帯電話１のアンテナに受信した電波の電界強度の強さにより受信を判定することができる。
【００６４】
この場合の動作例を、図６に基づいて説明する。なお、この変形例１においては、携帯電話における受信電波の電界強度を測定できるアンテナ（図示せず）を、携帯電話とは別に、装置の側で備えていることが好ましい。このようにすると、通常の携帯電話を本装置のために用いることが可能になる。
【００６５】
携帯電話１への着信があると、携帯電話１のアンテナで受信する電波の電界強度は、所定のしきい値よりも強くなる。ここでしきい値は実験又は計算によって設定される。
【００６６】
受信電波の電界強度がしきい値よりも高くなると、出力制御部３は、判定時間ｔｄ１（図６参照）の間、携帯電話への通話信号の入力があるか否かを判定する。
【００６７】
判定時間ｔｄ１の間に通話信号の入力（すなわち、受信電波の電界強度がしきい値以上であること）があった場合は、通話中であると判定する。この場合は、前記した実施例１における着信の場合と同様に、コンテンツの音量及び通話の音量を調整する。
【００６８】
その後、判定時間ｔｄ２内に、受信電波の電界強度がしきい値を下回ると、出力制御部３は、通話が終了したと判断する。この場合は、前記した実施例１における通話終了の場合と同様にして、コンテンツの音量及び通話の音量を調整する。
【００６９】
判定時間ｔｄ１の間に通話信号の入力が無い場合は、待機中であると判定する。この場合は、コンテンツの音量及び通話の音量の調整は行わない。
【００７０】
なお、前記では、受信電波の電界強度を用いる例を示したが、これに代えて、携帯電話機１による通話音量の大きさにより着信を判定することもできる。同様に、通話音量の大きさによって、通話信号の入力の有無を判定することができる。これらの場合は、通話音量としきい値とを比較する。他の動作は前記と同様でよい。
【００７１】
（他の変形例）
前記したとおり、情報呈示部２は、コンテンツ再生部４で再生された、記録済みのコンテンツを使用者に呈示するものであってもよい。この場合、出力制御部３は、携帯電話機１への着信後、コンテンツ再生部４におけるコンテンツの再生を停止する構成とすることができる。これにより、コンテンツの呈示を中止し、携帯電話による通話を容易にすることができる。
【００７２】
また、出力制御部３は、携帯電話機１からの切断信号（終了信号）を受け取った後、コンテンツ再生部４におけるコンテンツの再生を再開することも可能である。自動的に再生を再開する構成とすれば、操作者における操作の負担を軽減することができる。
【００７３】
また、出力制御部３は、携帯電話機１への着信後、右耳用呈示部２２１及び左耳用呈示部２２２の一方から、着信信号に基づく着信音又は携帯電話における通話音を使用者に呈示することもできる。この場合、さらに、右耳用呈示部２２１及び左耳用呈示部２２の他方から、コンテンツに基づく音声情報を呈示することができる。
【００７４】
さらに、着信に基づく情報を、コンテンツに含まれる文字情報（例えば字幕情報）とすることができる。この場合、出力制御部３は、携帯電話機１への着信後、コンテンツに含まれる文字情報を情報呈示部２の映像呈示部２１から使用者に呈示することができる。これにより、コンテンツからの音声の音量を低下又は零としたとしても、使用者には、コンテンツに含まれる文字情報を提供することができる。しかも、コンテンツの音量を低下又は零とすることにより、携帯電話を用いた通話が容易となる。
【００７５】
また、着信に基づく情報を、「コンテンツに含まれる音声情報から変換された文字情報」とすることができる。すなわち、出力制御部３は、携帯電話機１への着信後、コンテンツに含まれる音声情報から変換された文字情報を、情報呈示部２の映像提示部２１により使用者に呈示することができる。音声情報から文字情報への変換は、文字情報変換部５により行うことができる。この場合の表示画像の一例を図７に示す。この例では、表示画像１０の下端近傍に、文字表示領域１０１が形成されており、この領域１０１に文字情報が表示されるようになっている。
【００７６】
さらに、着信に基づく情報を、「携帯電話機での通話から変換された文字情報」とすることができる。すなわち、出力制御部３は、携帯電話機１への着信後、携帯電話機１での通話における音声情報から変換された文字情報を情報呈示部２から使用者に呈示することができる。この変換も、文字情報変換部５により行うことができる。
【００７７】
出力制御部３は、携帯電話機１への着信後、携帯電話機１での通話における音声情報を、コンテンツ再生部３のコンテンツ記録部４１あるいは他の記録デバイスに記録する構成であってもよい。また、記録された音声情報を、通話終了後に、自動で、あるいは使用者の操作によって再生し、音声提示部２２により使用者に提示することもできる。
【００７８】
なお、本発明は、上記した実施例に限定されるものではなく、本発明の要旨を逸脱しない範囲内において種々変更を加え得るものである。
【００７９】
さらに、各実施形態を実現するための各部（機能ブロックを含む）の具体的手段は、ハードウエア、ソフトウエア、ネットワーク、これらの組み合わせ、その他の任意の手段を用いることができる。また、前記した機能ブロックどうしが複合して一つの機能ブロックに集約されても良い。さらに、機能ブロックが複数のハードウエアまたはソフトウエアの協働によって実現されても良い。
【図面の簡単な説明】
【００８０】
【図１】本発明の一実施形態に係る情報呈示装置の概略的な構成を示すブロック図である。
【図２】映像呈示部の一構成例を示す説明図である。
【図３】本発明の一実施形態に係る情報呈示装置に用いられる内部構造の一例を示すブロック図である。
【図４】情報呈示装置による情報呈示の基本的な流れを示すフローチャートである。
【図５】着信信号に基づく情報呈示の状態変化の一例を説明するためのタイミングチャートである。
【図６】電波の電界強度あるいは電話の音量に基づく情報呈示の状態変化の一例を説明するためのタイミングチャートである。
【図７】文字情報を含む表示画像の一例を示す説明図である。
【符号の説明】
【００８１】
１  携帯電話機
２  情報呈示部
２１  映像呈示部
２２  音声呈示部
２２１  右耳用呈示部
２２２  左耳用呈示部
３  出力制御部
４  コンテンツ再生部
４１  コンテンツ記録部
５  文字情報変換部
６  ジャンル判定部
８  眼球
９  ＨＭＤ本体
１０  表示画像
１０１  文字表示領域
【図１】
2008167373.tif 000003
【図２】
2008167373.tif 000004
【図３】
2008167373.tif 000005
【図４】
2008167373.tif 000006
【図５】
2008167373.tif 000007
【図６】
2008167373.tif 000008
【図７】
2008167373.tif 000009